(57)【要約】      （修正有）【課題】スポーツ後の真っ黒な靴下やシャツやズボン等の頑固なドロ汚れや作業着等の油汚れを短時間できれいに落とす洗濯時の補助用具の提供。【解決手段】ペットボトルの外周部に所定の網目状態を突出形成させて芯材を作り、靴下やシャツ、ズボン等の洗濯物３で前記芯材をおおい、これに網目のネットで作られたタワシをもって、洗剤をつけながらこすりつけて汚れを落とすようにした。【選択図】図３
0003119866.tif 000002
【実用新案登録請求の範囲】
【請求項１】
ペットボトルの外周部に所定の網目状態を突出形成させて芯材を作り、靴下やシャツ、ズボン等の洗濯物で前記芯材をおおい、これに網目のネットで作られたタワシをもって、洗剤をつけながらこすりつけて汚れを落とすようにしたことを特徴とした洗濯用補助具。
【考案の詳細な説明】
【技術分野】
【０００１】  本考案はスポーツ後の真っ黒な靴下やシャツやズボン等の頑固なドロ汚れや作業着等の油汚れを短時間できれいに落とす洗濯時の補助用具に関する。
【背景技術】
【０００２】  従来の手洗いによる洗濯では、スポーツ後のひどい汚れの靴下やシャツ、ズボン等また油汚れによる作業着等はなかなかきれいに落とせなかった。また、手もみ洗いの為洗濯時間もかかり、面倒で嫌な作業であった。なお、関連技術に下記物件もある。【特許文献１】特開平        １１−７６６７４号公報
【特許文献２】実開昭        ５７−１１２７８７号公報
【特許文献３】実開平        ２−１５０８８号公報
【特許文献４】登録実用新案  ３０５０６２４号公報
【特許文献５】実開平        ０５−９１５７７号公報上記特許文献１では、側面に開口部が形成され洗濯面となる内面に複数の凸凹が形成されている筒状体からなる洗濯板とこの洗濯面の内径よりも小さい外経を有する洗い棒とで構成された洗濯用道具が記載されていた。また特許文献２では、靴下の重合部内に挿入可能に構成した片の表面及び裏面、あるいはその一方に突起を形成したことを特徴とする靴下洗い具が記載されていた。さらに特許文献３では、洗浄作業に使用する洗浄具は筒状容器主体の空中部に棒状の固形洗浄剤を摺動可能に嵌挿すると共に、容器主体の先端面に集合突起によって形成される摩擦部を設け摩擦部をブラシ代りに使用して作業性よく摺り作業を行う洗浄具が記載されていた。また特許文献４では、全表面に洗濯板のような波状の凸凹の先端を丸くしたものを付けて爪先とかかとを強調させた形にした靴下洗濯用用具に汚れた靴下をはかせ、ブラシでこすってきれいにする靴下の洗濯用具が記載されていた。さらに特許文献５では、安定盤に足の裏側部を上にした足型を設け、その表面全体に波状凸凹でなるので、足型に靴下をはかせ、タワシ等を用い擦り汚れを落とす足型靴下洗い具が記載されていた。なお、同様の考えに基づいた  特開平１１−２２１３９５号公報や特開２０００−１９７７９１号公報また登録実用新案３０７８６７０号公報があった。
【考案の開示】
【考案が解決しようとする課題】
【０００３】  以上に述べた従来の手洗いによる洗濯で汚れをきれいに落とすには、時間がかかり労働的負担であった。また特許文献１では、汚れ幅の広い洗濯物の場合、いちいち洗濯物の位置を変える必要があるので、手間がかかり作業性が悪い。  さらに特許文献２では、靴下の中に入れて当たりやすくしただけで、汚れを落とす物が明確に記載されていない。さらにこの靴下洗い具は弾性がなく固いので、生地を傷める心配がある。  また特許文献３では、洗濯物の汚れ部分にたてて上からこするだけで、洗濯物の汚れ部分に筒状容器主体の空中部に棒状の固形洗浄剤を入れてこする変形のタワシであり、洗濯物の下に敷いたものをどうするかということがなんら記載されていない。  さらに特許文献４と５では、靴下専用の洗い具なので、汚れ幅の広いシャツやズボン等には適さない。  本考案では上記問題を生地を傷めないで、頑固な汚れを短時間で落とし、さらに洗濯物の大小に関わらず作業性よくすることを目的とするものである。
【課題を解決するための手段】
【０００４】  本考案は上記課題を解決するために、ペットボトルの外周部に所定の網目状態を突出形成させて芯材を作り、靴下やシャツ、ズボン等の洗濯物を前記芯材でおおい、これに網目のネットでつくられたタワシをもって、洗剤をつけながらこすりつけて汚れを落とすようにしたことを特徴とした洗濯用補助具。
【考案の効果】
【０００５】  本考案は上記構成から成るので以下に示す効果が期待できる。１．使用済みペットボトルは各市町村で回収され、さまざまにリサイクルされているが、ペットボトルの外周部を突出形成することで、洗濯用補助具として再利用出来れば使用済みペットボトルの活用がさらに増し、資源ゴミとして出されていたペットボトルの回収が少しでも減るので、リサイクルや環境問題にプラスになると考えられる。２．洗濯物の中に挿入する芯材も上からこするタワシも弾性材なので洗濯物（布）を傷めない。３．芯材を移動させながら洗うので汚れのひどい大きな物でも作業性がよい。４．丸いペットボトルの芯材を用い靴下に挿入して洗う場合、回転させながら汚れを落とすので作業性がよい。５．手もみ洗いは大人でも大変な作業だが芯材を使えば汚れ落ちが容易になる為子供でもお手伝いが出来るようになり教育上、躾にもよい。６．ペットボトルは軽くて丈夫で持ちやすく、衛生的である。また網ネットタワシは泡立ちが良く水切れが良い為衛生的である。そして丈夫なのでゴミになりにくい為、地球環境にプラスと考えられる。
【考案を実施するための最良の形態】
【０００６】  以下本考案の実施の形態を図面を参照して説明する。図１ないし図３に示すようにペットボトルの外周部の網目状態は突出の大きさ半径１〜２ｍｍ位、突出の間隔５〜１０ｍｍ位として芯材１を形成する。  なおタワシ３は網目の大きさ５〜８ないし１０ｍｍ位としやはり突出のある網目状態（結び目がしっかりと突出した魚網や網（ネット）等）とし、ナイロンやポリエステル等の合成繊維などの可撓性を有する材料から作られている。【０００７】  該芯材１を靴下やシャツやズボン等の洗濯物３の中に適宜配置させ、網目のネットでつくられたタワシ４をもって固形石鹸や液体洗剤に適当量の水を加えながら洗濯物の上からこすりつけて汚れを落とすようにしたものである。  これは合成樹脂からなる弾性材のペットボトルの上に弾性材によるタワシでこする為、弾性材同士を重ね合わせた状態となり、それぞれが変形しやすく、摩擦効果をより高め洗濯物をのせこすっていくので、お互いに変形しながら洗濯を行うことで布（生地）を傷めず洗濯物の汚れを落とす。【０００８】  汚れがとれたら、芯材１を汚れのひどい位置に移動し、固形石鹸や液体洗剤等をつけ、こすりながら汚れをとるように洗濯作業を順次進める。部分洗いが終わり、すすいだら洗濯機に入れて通常どおり洗濯作業をする。  ペットボトルに適当量の水を入れて芯材を作り、移動させながら作業することは当然考えられる。  本考案に記載した実施例では、ペットボトルは丸形で全体に突出しているが角形であっても部分的に突出していても何ら差支えない。  またウレタンや発泡スチロール、ゴム等弾性材に突出させて芯材を用途に合わせて作り使用する事も当然考えられる。  さらに、ペットボトル、ウレタン、発泡スチロール、ゴム等の弾性材に魚網、網（ネット）等を巻いて結び目が突出状態として形成させることで芯材を作ることも考えられる。
【図面の簡単な説明】
【０００９】
【図１】芯材の正面図
【図２】芯材を洗濯物の中に入れた参考図
【図３】作業図
【符号の説明】
【００１０】  １．  芯材  ２．  ペットボトル  ３．  洗濯物  ４．  タワシ（網ネット）
【図１】
0003119866.tif 000003
【図２】
0003119866.tif 000004
【図３】
0003119866.tif 000005
【手続補正書】
【提出日】平成17年12月14日(2005.12.14)
【手続補正１】
【補正対象書類名】実用新案登録請求の範囲
【補正対象項目名】請求項１
【補正方法】変更
【補正の内容】
【請求項１】
ペットボトルの外周部に所定の網目状態あるいは山形状態を突出形成させて芯材を作り、靴下やシャツ、ズボン等の洗濯物で前記芯材をおおい、これに網目のネットで作られたタワシをもって、洗剤をつけながらこすりつけて汚れを落とすようにしたことを特徴とした洗濯用補助具。
【手続補正２】
【補正対象書類名】明細書
【補正対象項目名】０００４
【補正方法】変更
【補正の内容】
【０００４】  ペットボトルの外周部に所定の網目状態あるいは山形状態を突出形成させて芯材を作り、靴下やシャツ、ズボン等の洗濯物で前記芯材をおおい、これに網目のネットで作られたタワシをもって、洗剤をつけながらこすりつけて汚れを落とすようにしたことを特徴とした洗濯用補助具。
【手続補正３】
【補正対象書類名】明細書
【補正対象項目名】０００５
【補正方法】変更
【補正の内容】
【０００５】  本考案は上記構成から成るので以下に示す効果が期待できる。
１．使用済みペットボトルは各市町村で回収され、さまざまにリサイクルされているが、ペットボトルの外周部を突出形成することで、洗濯用補助具として再利用出来れば使用済みペットボトルの活用がさらに増し、資源ゴミとして出されていたペットボトルの回収が少しでも減るので、リサイクルや環境問題にプラスになると考えられる。
２．洗濯物の中に挿入する芯材も上からこするタワシも弾性材なので洗濯物（布）を傷めない。
３．芯材を移動させながら洗うので汚れのひどい大きな物でも作業性がよい。
４．丸いペットボトルの芯材を用い靴下に挿入して洗う場合、回転させながら汚れを落とすので作業性がよい。
５．手もみ洗いは大人でも大変な作業だが芯材を使えば汚れ落ちが容易になる為子供でもお手伝いが出来るようになり教育上、躾にもよい。
６．ペットボトルは軽くて丈夫で持ちやすく、衛生的である。また網ネットタワシは泡立ちが良く水切れが良い為衛生的である。そして丈夫なのでながもちさせることができる。
７．ペットボトルの外周部を山形状態に突出形成した場合、その突出部の大きさ、間隔を変える事で足裏や肩もみ等のマッサージ道具としてまったく別の物に生まれ変わり、再利用されることも考えられる。
【手続補正４】
【補正対象書類名】明細書
【補正対象項目名】０００６
【補正方法】変更
【補正の内容】
【０００６】  以下本考案の実施の形態を図面を参照して説明する。
図１ないし図６に示すようにペットボトルの外周部の網目状態は突出の大きさ半径１〜２ｍｍ位、突出の間隔５〜１０ｍｍ位として芯材１を形成する。あるいは山波が山脈状態に連なる形をして形成するか、富士山のようにところどころ山形が突出するようにして芯材１を形成する。なお突出する頂部は出来るだけ丸形にするのが望ましい。
またタワシ４は網目の大きさ５〜８ないし１０ｍｍ位としやはり突出のある網目状態（結び目がしっかりと突出した魚網や網（ネット）等）とし、ナイロンやポリエステル等の合成繊維などの可撓性を有する材料から作られている。
【手続補正５】
【補正対象書類名】明細書
【補正対象項目名】０００８
【補正方法】変更
【補正の内容】
【０００８】  汚れがとれたら、芯材１を汚れのひどい位置に移動し、固形石鹸や液体洗剤等をつけ、こすりながら汚れをとるように洗濯作業を順次進める。部分洗いが終わり、すすいだら洗濯機に入れて通常どおり洗濯作業をする。
ペットボトルに適当量の水を入れて芯材を作り、移動させながら作業することは当然考えられる。その場合水量を調整する事により可撓性効果を調整出来る。
本考案に記載した実施例では、ペットボトルは丸形で全体に突出しているが、角形であってもまた突出が外周の全面にあっても外周の一面にあってもよい。
またウレタンや発泡スチロール、ゴム等弾性材に突出させて芯材を用途に合わせて作り使用する事も当然考えられる。
さらに、ペットボトル、ウレタン、発泡スチロール、ゴム等の弾性材に魚網、網（ネット）等を直接巻いて紐で結び、突出状態として形成させることで芯材を作ることも考えられる。
【手続補正６】
【補正対象書類名】明細書
【補正対象項目名】０００９
【補正方法】変更
【補正の内容】
【０００９】    図１  網目状態に形成された芯材の正面図
図２  Ａ部拡大図
図３  山形状態に形成された芯材の表面図
図４  Ｂ部拡大図
図５  芯材を洗濯物の中に入れた参考図
図６  作業図
【手続補正９】
【補正対象書類名】図面
【補正対象項目名】全図
【補正方法】変更
【補正の内容】
【図１】
0003119866.tif 000006
【図２】
0003119866.tif 000007
【図３】
0003119866.tif 000008
【図４】
0003119866.tif 000009
【図５】
0003119866.tif 000010
【図６】
0003119866.tif 000011